(57)【要約】【課題】操作画面を平易に操作することを課題とする。【解決手段】ディスプレイ装置は、機器を操作するための操作画面を表示するディスプレイと、ディスプレイに表示された操作画面に対する操作を受け付けるコマンダー部とを備える。また、ディスプレイ装置は、コマンダー部において操作者による接触が検知されると、コマンダー部の操作を案内するコマンダー操作ガイドをディスプレイに表示する。また、ディスプレイ装置は、コマンダー部において受け付けられた操作に従って、ディスプレイに表示する操作画面を制御するとともに機器を制御する。また、ディスプレイ装置は、コマンダー操作ガイドとして、コマンダー部と同じ形状の図形を表示する。【選択図】        図１
2010129070.tif 000002
【特許請求の範囲】
【請求項１】
機器を操作するための操作画面を表示するディスプレイと、
前記ディスプレイに表示された操作画面に対する操作を受け付ける操作部と、
前記操作部において操作者による接触が検知されると、該操作部の操作を案内する案内情報を前記ディスプレイに表示する案内情報表示部と、
前記操作部において受け付けられた操作に従って、前記ディスプレイに表示する操作画面を制御するとともに機器を制御する機器制御部と
を備えたことを特徴とするディスプレイ装置。
【請求項２】
前記案内情報表示部は、前記案内情報として、前記操作部と同じ形状の図形を表示することを特徴とする請求項１に記載のディスプレイ装置。
【請求項３】
前記案内情報表示部は、前記案内情報として、前記操作部の操作と前記操作画面に表示された操作内容との対応関係を表示することを特徴とする請求項１または２に記載のディスプレイ装置。
【請求項４】
前記案内情報表示部は、前記案内情報として、現に操作画面にて操作中の操作と同一の階層に属する操作内容群を表示するとともに、前記操作部において受付けられた操作によって該操作内容群の内の一つが選択されると、該選択された操作内容の下位の階層に属する操作内容群もディスプレイに表示することを特徴とする請求項１〜３のいずれか一つに記載のディスプレイ装置。
【請求項５】
前記ディスプレイ装置は、車両に備えられ、
前記操作部の利用者が運転席の操作者であるのか助手席の操作者であるのかを識別する操作者識別部をさらに備え、
前記案内情報表示部は、前記操作者識別部によって識別された操作者に許可された操作を判定し、判定した該操作に対応する案内情報を表示することを特徴とする請求項１〜４のいずれか一つに記載のディスプレイ装置。
【発明の詳細な説明】
【技術分野】
【０００１】
本発明は、ディスプレイ装置に関する。
【背景技術】
【０００２】
従来、機器を操作するための操作画面を表示するディスプレイを備えた装置は、操作画面に対する操作を受け付ける操作部を備え、操作部において受け付けられた操作に従って操作画面を制御するとともに機器を制御する。例えば、携帯端末が、ディスプレイと部分的に重なるように配置された回転リングを備え、回転リングにおいて受け付けられた回転に従ってディスプレイに表示されたマーカが回転する技術が開示されている（特許文献１など）。
【０００３】
【特許文献１】特開２００４−１６４６１８号公報
【発明の開示】
【発明が解決しようとする課題】
【０００４】
ところで、上記した従来の技術では、操作画面の操作が難しいという課題があった。すなわち、ディスプレイ装置に表示される操作画面は、操作部によって操作されるものであるので、操作者は、そもそも操作部自体の扱いを知らなければ、ディスプレイ装置に表示された操作画面を操作することができなかった。なお、回転リングを備えた携帯端末は、ディスプレイと回転リングとが部分的に重なるように配置されることが前提であり、汎用的に利用することができない。
【０００５】
そこで、本発明は、上記した従来の技術の課題を解決するためになされたものであり、操作画面を平易に操作することが可能なディスプレイ装置を提供することを目的とする。
【課題を解決するための手段】
【０００６】
上述した課題を解決し、目的を達成するため、ディスプレイ装置は、機器を操作するための操作画面を表示するディスプレイと、ディスプレイに表示された操作画面に対する操作を受け付ける操作部とを備える。また、ディスプレイ装置は、操作部において操作者による接触を検知すると該操作部の操作を案内する案内情報をディスプレイに表示する案内情報表示部と、操作部において受け付けられた操作に従ってディスプレイに表示された操作画面を制御するとともに機器を制御する機器制御部とを備える。
【発明の効果】
【０００７】
操作画面を平易に操作することが可能になる。
【発明を実施するための最良の形態】
【０００８】
以下に添付図面を参照して本発明に係るディスプレイ装置の実施例を詳細に説明する。なお、以下では、まず、実施例１に係るディスプレイ装置の概要を説明し、続いて、構成、処理手順、実施例１の効果を順に説明し、その後、他の実施例を説明する。
【実施例１】
【０００９】
［ディスプレイ装置の概要］
まず、図１を用いて、実施例１に係るディスプレイ装置の概要を説明する。図１は、実施例１に係るディスプレイ装置の概要を説明するための図である。
【００１０】
図１に示すように、実施例１に係るディスプレイ装置は、機器を操作するための操作画面を表示するディスプレイと、ディスプレイに表示された操作画面に対する操作を受け付けるコマンダー部とを備える。
【００１１】
ディスプレイ装置は、コマンダー部において操作者による接触（タッチ）を検知すると、図１に示すように、コマンダー部の操作を案内するコマンダー操作ガイドをディスプレイに表示する。そして、ディスプレイ装置は、コマンダー部において受け付けられた操作に従って操作画面を制御するとともに機器を制御する。
【００１２】
このように、実施例１に係るディスプレイ装置によれば、操作者がコマンダー部にタッチすると、コマンダー操作ガイドがディスプレイに表示されるので、操作者は、コマンダー操作ガイドに従ってコマンダー部を操作すればよく、操作画面を平易に操作することが可能になる。
【００１３】
［車載システムの構成］
次に、図２を用いて、実施例１に係るディスプレイ装置を備えた車載システムの構成を説明する。図２は、実施例１における車載システムの構成を示すブロック図である。
【００１４】
図２に示すように、車載システム１０は、ディスク再生部１１と、メモリーカード再生部１２と、テレビ受信部１３と、ラジオ受信部１４と、ＧＰＳ（Global  Positioning  System）情報受信部１５と、無線機器通信部１６と、バッテリ／ＡＣＣ部１７と、ディスプレイ装置２０とを備える。もっとも、車載システム１０が備える機能部は上記した例に限定されるものではなく、メモリなど他の機能部を備えていてもよい。
【００１５】
ディスク再生部１１は、ＣＤ、ＭＤ、ＤＶＤ、ＨＤＤなどの記憶媒体を受け付け、記憶媒体に書き込まれているコンテンツを読み出して、ディスプレイ装置２０に出力する。メモリーカード再生部１２は、メモリーカードを受け付け、メモリーカードに書き込まれているコンテンツを読み出して、ディスプレイ装置２０に出力する。
【００１６】
テレビ受信部１３は、各テレビ局に無線通信で接続され、アナログ放送、デジタル放送、ケーブルテレビなどの放送信号を各テレビ局から受信して、受信したテレビコンテンツをディスプレイ装置２０に出力する。ラジオ受信部１４は、各ラジオ局に無線通信で接続され、ＦＭ、ＡＭなどの放送信号を受信して、受信したラジオコンテンツをディスプレイ装置２０に出力する。
【００１７】
ＧＰＳ情報受信部１５は、ＧＰＳ人工衛星と通信して特定した自車両の位置をディスプレイ装置２０に出力する。無線機器通信部１６は、Bluetooth（登録商標）や他の通信規格を用いて無線通信を行う。具体的には、無線機器通信部１６は、自車両の乗員が所有するインターネット接続機能やテレビ機能などを有する携帯端末、渋滞情報や交通事故情報、ニュース、映画、音楽などのコンテンツを配信するセンターなどとの間でやり取りする各種情報に関する通信を制御する。
【００１８】
バッテリ／ＡＣＣ部１７は、同じ種類の単電池を複数個パックしたパック電池であり、ディスプレイ装置２０に電力を供給する。
【００１９】
ディスプレイ装置２０は、図２に示すように、ディスプレイ２１と、スピーカ２２と、コマンダー部２３と、制御部３０とを備える。また、制御部３０は、ディスプレイ表示制御部３１と、通知音制御部３２とを備える。
【００２０】
ディスプレイ２１は、ディスプレイ表示制御部３１によって入力された画像データを表示する。例えば、実施例１において、ディスプレイ２１は、液晶ディスプレイによって実現される。スピーカ２２は、通知音制御部３２によって入力された音声データを出力する。
【００２１】
コマンダー部２３は、ディスプレイ２１に表示された操作画面に対する操作者（自車両乗員）の操作を受け付ける。また、実施例１におけるコマンダー部２３は、外側ノブと内側ノブとの２層構造となっている。なお、実施例１におけるコマンダー部２３については、後に詳述する。
【００２２】
ここで、図３を用いて、車載されたディスプレイ２１、スピーカ２２およびコマンダー部２３の一例を説明する。図３は、車載されたディスプレイ装置を説明するための図である。
【００２３】
図３に示すように、実施例１におけるディスプレイ２１は、運転席と助手席の前方でフロントガラスの下に設置されたセンターディスプレイ、助手席付近に設置された左サイドディスプレイおよび運転席付近に設置された右サイドディスプレイで実現される。なお、これらディスプレイの設置場所は、運転席と助手席の間でもよいし、運転席前方のインパネでもよい。また、スピーカ２２も、センターディスプレイ付近に設置されたスピーカ、左サイドディスプレイ付近に設置されたスピーカおよび右サイドディスプレイ付近に設置されたスピーカで実現される。また、図３に示すように、実施例１におけるコマンダー部２３は、運転席と助手席との間に設置され、主にセンターディスプレイに表示された操作画面に対する操作を受け付ける。また、ＥＭＶ（Electro  Multi  Vision  system）、すなわち多機能液晶モニタと連動していてもよい。
【００２４】
ディスプレイ表示制御部３１は、コマンダー部２３において操作者によるタッチが検知されると、コマンダー部２３の操作を案内するコマンダー操作ガイドをディスプレイ２１に表示する。また、ディスプレイ表示制御部３１は、コマンダー部２３において受け付けられた操作に従って、ディスプレイ２１に表示する操作画面を制御するとともに機器を制御する。
【００２５】
また、ディスプレイ表示制御部３１は、公知の車載システムに備えられるディスプレイ表示制御部と同様の機能も備える。例えば、ディスプレイ表示制御部３１は、ディスク再生部１１によって再生されたコンテンツやテレビ受信部１３によって受信されたテレビコンテンツ、あるいは無線機器通信部１６によって受信された各種情報をディスプレイ２１に表示するように制御する。また、ディスプレイ表示制御部３１は、メモリーカード再生部１２によって記憶された地図データとＧＰＳ情報受信部１５によって受信された自車両の位置とを利用して、自車両の位置情報や周辺の地図情報、走行予定経路などをディスプレイ２１に表示するように制御する。
【００２６】
ここで、図４〜図７を用いて、実施例１におけるディスプレイ表示制御部３１を説明する。図４は、コマンダー操作ガイドの表示制御を説明するための図であり、図５〜図７は、表示制御を説明するための図である。
【００２７】
実施例１におけるディスプレイ表示制御部３１は、例えば図４に示すような対応表を記憶することで、コマンダー部２３において操作者によるタッチが検知された際にディスプレイ２１に表示すべきコマンダー操作ガイドを管理する。
【００２８】
すなわち、実施例１に係るディスプレイ装置２０は、図２に示したように、ディスク再生部１１やメモリーカード再生部１２など複数の機能部と接続されており、複数の機能部を操作するための操作画面を表示する。また、各操作画面は、同じ機能部を操作する操作画面であっても、操作の段階に応じて、コマンダー部２３の操作内容は異なってくる。
【００２９】
このため、実施例１におけるディスプレイ表示制御部３１は、図４に示すような対応表を記憶し、コマンダー部２３において操作者によるタッチが検知されると、現にディスプレイ２１に表示している表示画面を判定する。そして、ディスプレイ表示制御部３１は、ノブ種別と表示画面とを用いて対応表を参照し、該当するコマンダー操作ガイドを取得して、ディスプレイ２１に表示する。また、ディスプレイ表示制御部３１は、コマンダー部２３において操作が受け付けられると、受け付けられた操作を用いて対応表を参照し、該当する制御内容を取得して、操作画面を制御するとともに該当する機能部を制御する。
【００３０】
［ナビ操作画面］
例えば、ディスプレイ２１には、「初期画面」が表示されていたとする。ディスプレイ表示制御部３１は、コマンダー部２３において操作者によるタッチが検知されると、内側ノブにおいてタッチが検知されたことと、現にディスプレイ２１に表示している表示画面が初期画面であることを判定する。そして、ディスプレイ表示制御部３１は、判定したノブ種別「内側ノブ」と表示画面「初期画面」とを用いて対応表を参照し、該当するコマンダー操作ガイド「切替画面」を取得して、ディスプレイ２１に表示する。
【００３１】
ディスプレイ表示制御部３１は、コマンダー部２３において操作「上」が受け付けられると、「上」を用いて対応表を参照し、該当する制御内容「ナビ操作画面」を取得して、「ナビ操作画面」をディスプレイ２１に表示するとともにメモリーカード再生部１２を起動する。
【００３２】
すると、ディスプレイ２１には、図５の（Ａ）に示すようなナビ操作画面が起動される。ここで、ディスプレイ表示制御部３１は、コマンダー部２３において操作者によるタッチが検知されると、内側ノブにおいてタッチが検知されたことと、現にディスプレイ２１に表示している表示画面が「ナビ操作画面（起動時）」であることを判定する。そして、ディスプレイ表示制御部３１は、判定したノブ種別「内側ノブ」と表示画面「ナビ操作画面（起動時）」とを用いて対応表を参照し、該当するコマンダー操作ガイド「拡大・縮小画面」を取得して、図５の（Ｂ）に示すように、ディスプレイ２１に表示する。
【００３３】
この時、図５の（Ｂ）に示すように、実施例１におけるディスプレイ表示制御部３１は、コマンダー操作ガイドとして、コマンダー部２３と同じ形状の図形を表示する。また、ディスプレイ表示制御部３１は、コマンダー部２３において操作「右回転」が受け付けられると、「右回転」を用いて対応表を参照し、該当する制御内容「詳細」を取得して、メモリーカード再生部１２によって表示されるコンテンツが詳細な情報となるようにメモリーカード再生部１２を制御する。
【００３４】
続いて、ディスプレイ表示制御部３１は、コマンダー部２３において操作「左」が受け付けられると、「左」を用いて対応表を参照し、該当する制御内容「目的地セット画面」を取得して、図５の（Ｃ）に示すように、ディスプレイ２１に表示する。また、コマンダー部２３の操作と操作画面に表示された操作内容との対応関係を表示する。例えば、コマンダー部２３の操作「左」と操作内容「キャンセル」との対応関係を表示する。
【００３５】
また、ディスプレイ表示制御部３１は、コマンダー部２３において操作「左」が受け付けられると、「左」を用いて対応表を参照し、該当する制御内容「キャンセル」を取得する。そして、ディスプレイ表示制御部３１は、「目的地セット画面」をディスプレイ２１から削除するとともに、メモリーカード再生部１２によって表示されるコンテンツが「ナビ操作画面（走行中）」となるようにメモリーカード再生部１２を制御する。
【００３６】
［オーディオ操作画面］
同様に、例えば、ディスプレイ２１には、「切替画面」が表示されていたとする。ディスプレイ表示制御部３１は、コマンダー部２３において操作「右」が受け付けられると、「右」を用いて対応表を参照し、該当する制御内容「オーディオ操作画面」を取得して、「オーディオ操作画面」をディスプレイ２１に表示するとともにディスク再生部１１を起動する。
【００３７】
すると、ディスプレイ２１には、オーディオ操作画面が起動される。ディスプレイ表示制御部３１は、コマンダー部２３において操作者によるタッチが検知されると、内側ノブにおいてタッチが検知されたことと、現にディスプレイ２１に表示している表示画面が「オーディオ操作画面（起動時）」であることを判定する。そして、ディスプレイ表示制御部３１は、判定したノブ種別「内側ノブ」と表示画面「オーディオ操作画面（起動時）」とを用いて対応表を参照し、該当するコマンダー操作ガイド「オーディオ初期画面」を取得して、図６の（Ａ）に示すように、ディスプレイ２１に表示する。また、ディスプレイ表示制御部３１は、コマンダー部２３において操作「右」が受け付けられると、「右」を用いて対応表を参照し、該当する制御内容「選曲画面」を取得する。そして、ディスプレイ表示制御部３１は、図６の（Ｂ）に示すように、「選曲画面」をディスプレイ２１に表示する。
【００３８】
ここで、図６の（Ｂ）に示すように、ディスプレイ表示制御部３１は、コマンダー操作ガイドとして、現に操作画面にて操作中の操作と同一の階層に属する操作内容群を表示するとともに、コマンダー部２３において受付けられた操作によって操作内容群の内の一つが選択されると、選択された操作内容の下位の階層に属する操作内容群もディスプレイ２１に表示する。例えば、ディスプレイ表示制御部３１は、現に操作画面「選曲画面」にて操作中の操作と同一の階層に属する操作内容群の内の一つ「マイベスト」にフォーカスされると、「マイベスト」の下位の階層に属する操作内容群（「ＴＯＰ２５」、「癒しソング」、「ノリノリソング」など）もディスプレイ２１に表示する。この段階において、「マイベスト」は選択されてはいるが決定されているものではなく、このように、下位の階層に属する操作内容群が表示されることで、操作の手戻りを減少することができる。なお、例えばコマンダー部２３において「ノリノリソング」を選択決定する操作が受け付けられると、ディスプレイ表示制御部３１は、図６の（Ｃ）の画面を表示する。なお、ディスプレイ表示制御部３１は、図６のようにツリー系のメニューを表示する際には、コマンダー部２３において操作「右」や「押下」が受け付けられると、決定（下位階層へ移行）し、操作「左」が受け付けられると、上位階層へと戻るように、制御する。このようなことから、操作者は、ブラインドで感覚的に操作することができる。
【００３９】
［操作画面の切替画面］
また、実施例１におけるディスプレイ表示制御部３１は、コマンダー操作ガイドとして、図７に示すような操作画面の切替画面を表示する。ディスプレイ表示制御部３１は、切替画面として、複数の操作画面を扇状に表示するとともに、コマンダー部２３と同じ形状の図形を表示する。また、ディスプレイ表示制御部３１は、コマンダー部２３を右回転すれば扇状に表示されている複数の操作画面が右回転して移動すること、コマンダー部２３を左回転すれば扇状に表示されている複数の操作画面が左回転して移動することを、コマンダー部２３と同じ形状の図形に矢印を添えて表示することで示している。
【００４０】
通知音制御部３２は、コマンダー部２３において操作が受け付けられたことを通知する通知音をスピーカ２２から出力するように制御する。
【００４１】
また、通知音制御部３２は、公知の車載システムに備えられる通知音制御部と同様の機能も備える。例えば、通知音制御部３２は、ディスク再生部１１によって再生されたコンテンツやテレビ受信部１３によって受信されたテレビコンテンツ、ラジオ受信部１４によって受信されたラジオコンテンツ、あるいは無線機器通信部１６によって受信された各種情報をスピーカ２２から出力するように制御する。
【００４２】
［コマンダー部の構造］
次に、図８を用いて、実施例１におけるコマンダー部２３の構造を説明する。図８は、コマンダー部の構造を説明するための図である。
【００４３】
図８に示すように、実施例１におけるコマンダー部２３は、内側ノブａと、外側ノブｂと、回転軸ｃと、内側ノブ支持部ｄと、外側ノブ支持部ｅと、タッチセンサーｆとを備える。
【００４４】
図９に示すように、内側ノブ支持部ｄの上に回転軸ｃが取り付けられ、回転軸ｃに取り付けられた内側ノブａは、回転軸を中心として回転する。また、内側ノブａは、図８に示す８方向に傾き、また下方向に押下される。
【００４５】
また、図８に示すように、内側ノブａの内部には、タッチセンサーｆが配置されており、内側ノブａの外周が操作者によってタッチされると、タッチセンサーｆがタッチを検知して、ディスプレイ表示制御部３１に通知する。なお、コマンダー部２３の内部に照明を備え、タッチセンサーｆがタッチを検知した際に照明を点灯させることで、内側ノブａが操作できることを操作者に通知する構造としてもよい。
【００４６】
また、図８に示すように、外側ノブｂは内側ノブａとは独立に備えられ、外側ノブｂのみで回転する。
【００４７】
なお、図８の構造の他に、コマンダー部２３は、図９や図１０の構造であってもよい。図９および図１０は、コマンダー部の構造を説明するための図である。図９の構造は、図８の構造とほぼ同様であるが、タッチセンサーｆが内側ノブａの上面裏側に配置されている。このため、内側ノブａの上面が操作者によってタッチされた場合に、タッチセンサーｆがタッチを検知して、ディスプレイ表示制御部３１に通知する。
【００４８】
図１０の構造は、外側ノブｂの替わりにタッチセンサーｆを用いる構造である。すなわち、内側ノブａの設置面で内側ノブａを取り囲む外周にタッチセンサーｆを配置する。内側ノブａの外周に配置されたタッチセンサーｆを操作者が回転するようにタッチすると、タッチセンサーｆが回転するようにタッチされたことを検知する。
【００４９】
［ディスプレイ装置による処理手順］
続いて、図１１を用いて、実施例１に係るディスプレイ装置による処理手順を説明する。図１１は、実施例１に係るディスプレイ装置による処理手順を示すフローチャートである。
【００５０】
まず、実施例１に係るディスプレイ装置２０において、ディスプレイ表示制御部３１は、コマンダー部２３において操作者によるタッチを検知したか否かを判定する（ステップＳ１０１）。タッチを検知していないと判定した場合には（ステップＳ１０１否定）、ディスプレイ表示制御部３１は、コマンダー部２３において操作者によるタッチを検知したか否かを判定する処理に戻る。
【００５１】
一方、コマンダー部２３において操作者によるタッチを検知した場合には（ステップＳ１０１肯定）、ディスプレイ表示制御部３１は、現にディスプレイ２１に表示している表示画面を判定し、判定した表示画面に応じたコマンダー操作ガイドをディスプレイ２１に表示する（ステップＳ１０２）。
【００５２】
そして、ディスプレイ表示制御部３１は、コマンダー部２３において操作が受け付けられたか否かを判定し（ステップＳ１０３）、操作が受け付けられていないと判定した場合には（ステップＳ１０３否定）、待機する。一方、操作が受け付けられたと判定した場合には（ステップＳ１０３肯定）、ディスプレイ表示制御部３１は、受け付けた操作に従ってディスプレイ２１に表示する操作画面を制御するとともに、該当する機器を制御する（ステップＳ１０４）。
【００５３】
［実施例１の効果］
上記してきたように、実施例１に係るディスプレイ装置２０は、機器を操作するための操作画面を表示するディスプレイ２１と、ディスプレイ２１に表示された操作画面に対する操作を受け付けるコマンダー部２３とを備える。また、ディスプレイ装置２０は、コマンダー部２３において操作者による接触が検知されると、コマンダー部２３の操作を案内するコマンダー操作ガイドをディスプレイ２１に表示し、コマンダー部２３において受け付けられた操作に従って、ディスプレイ２１に表示する操作画面を制御するとともに機器を制御する。
【００５４】
このようなことから、実施例１に係るディスプレイ装置２０によれば、操作者がコマンダー部にタッチすると、コマンダー操作ガイドがディスプレイに表示されるので、操作者は、コマンダー操作ガイドに従ってコマンダー部を操作すればよく、操作画面を平易に操作することが可能になる。
【００５５】
また、実施例１におけるディスプレイ表示制御部３１は、コマンダー操作ガイドとして、コマンダー部２３と同じ形状の図形を表示する。また、コマンダー部２３の操作と操作画面に表示された操作内容との対応関係を表示する。このため、操作者は、コマンダー部２３を動かしたアクションと同じ動きがディスプレイ２１上で表示されるので、コマンダー部２３の操作を直感的に把握することが可能になり、操作画面をより平易に操作することが可能になる。
【００５６】
ディスプレイ表示制御部３１は、コマンダー操作ガイドとして、現に操作画面にて操作中の操作と同一の階層に属する操作内容群を表示するとともに、コマンダー部２３において受付けられた操作によって該操作内容群の内の一つが選択されると、該選択された操作内容の下位の階層に属する操作内容群もディスプレイ２１に表示する。このため、操作の手戻りを減少することが可能になる。
【実施例２】
【００５７】
［他の実施例］
さて、これまで本発明の実施例について説明したが、本発明は上述した実施例以外にも、種々の異なる形態にて実施されてよいものである。
【００５８】
上記の実施例では、ディスプレイ装置２０を車載することを想定してきたが、本発明はこれに限られるものではなく、ディスプレイを備える一般的な装置に適用することも可能である。
【００５９】
また、ディスプレイ装置２０は、上記した操作画面以外にも、図１２〜図２０に示す操作画面を表示することもできる。以下、順に説明する。
【００６０】
［オド・トリップ操作画面］
図１２を用いて、オド・トリップ操作画面を説明する。図１２は、オド・トリップ操作画面を説明するための図である。図１２に示すように、ディスプレイ装置２０は、操作画面の左上隅に、現に操作画面にて操作中の操作が、「メータ」という階層の下位の階層に属する「オド・トリップ」操作画面であることを表示する。
【００６１】
ディスプレイ表示制御部３１は、コマンダー部２３において操作「上」、「下」もしくは「回転」が受け付けられると、該操作に応じて、オド・トリップ操作画面上の「表示切替」もしくは「トリップリセット」を切り替える。そして、ディスプレイ表示制御部３１は、コマンダー部２３において操作「押下」が受け付けられると、図１２に示すように、リストを横方向表示から縦方向表示へ変化させる。
【００６２】
例えば、「表示切替」がフォーカスされた状態（図１２においては太枠で囲まれた状態）で操作「押下」が受け付けられると、ディスプレイ表示制御部３１は、図１２に示すように、「表示切替」のためのリストを縦方向表示へ変化させる。また、ディスプレイ表示制御部３１は、コマンダー部２３において操作「上」、「下」もしくは「回転」が受け付けられると、該操作に応じて、オド・トリップ操作画面上の「トリップＡ」、「オド」もしくは「トリップＢ」を切り替える。「トリップリセット」がフォーカスされた状態で操作「押下」が受け付けられた場合も同様である。
【００６３】
［エアコン操作画面］
図１３を用いて、エアコン操作画面を説明する。図１３は、エアコン操作画面を説明するための図である。図１３に示すように、ディスプレイ装置２０は、操作画面の左上隅に、現に操作画面にて操作中の操作が、「エアコン」という階層に属する「エアコン」操作画面であることを表示する。
【００６４】
ディスプレイ表示制御部３１は、コマンダー部２３において操作「上」、「下」もしくは「回転」が受け付けられると、該操作に応じて、エアコン操作画面上の「設定」、「調整」もしくは「循環」を切り替える。そして、ディスプレイ表示制御部３１は、コマンダー部２３において操作「押下」が受け付けられると、図１３に示すように、リストを横方向表示から縦方向表示へ変化させる。
【００６５】
例えば、「調整」がフォーカスされた状態で操作「押下」が受け付けられると、ディスプレイ表示制御部３１は、図１３に示すように、「調整」のためのリストを縦方向表示へ変化させる。また、ディスプレイ表示制御部３１は、コマンダー部２３において、操作「上」、「下」もしくは「回転」が受け付けられると、該操作に応じて、エアコン操作画面のリスト上でのフォーカスを切り替える。なお、ディスプレイ表示制御部３１は、操作内容の下位の階層に属する操作内容群もディスプレイ２１に表示する。例えば、図１３に示すように、「調整」リストの中の一番上の項目について、ディスプレイ表示制御部３１は、吹き出しを示すことで下位の階層に属する操作内容群を表示する。「循環」や「設定」がフォーカスされた状態で操作「押下」が受け付けられた場合も同様である。
【００６６】
また、図１３に示すように、ディスプレイ表示制御部３１は、各種設定が可能な項目については、該当する項目がフォーカスされた際に、操作補足説明を表示する。例えば、温度」の項目がフォーカスされた際に、ディスプレイ表示制御部３１は、操作補足説明として「ＰＵＳＨ操作で温度を設定できます」と表示する。
【００６７】
その他、図１３に示すように、ディスプレイ表示制御部３１は、「風量」の項目がフォーカスされた際には、コマンダー部２３において操作「回転」を受け付けることで風量変更が可能であることをディスプレイ２１に表示する。また、図１３に示すように、ディスプレイ表示制御部３１は、例えば「設定」リストのインジケータのＯＮ／ＯＦＦの切替は、コマンダー部２３において操作「押下」を受け付けることによって切り替える。
【００６８】
［表示設定操作画面］
図１４を用いて、表示設定操作画面を説明する。図１４は、表示設定操作画面を説明するための図である。図１４に示すように、ディスプレイ装置２０は、操作画面の左上隅に、現に操作画面にて操作中の操作が、「表示設定」という階層の下位の階層に属する「表示設定」操作画面であることを表示する。例えば、メニューパターンの切替が可能である場合に、ディスプレイ表示制御部３１は、コマンダー部２３において操作「上」、「下」もしくは「回転」が受け付けられると、該操作に応じて、表示設定操作画面上の「パターンＡ」もしくは「パターンＢ」を切り替える。そして、ディスプレイ表示制御部３１は、コマンダー部２３において操作「押下」が受け付けられると、操作「押下」が受け付けられた際にフォーカスされていたパターンに表示を切り替える。
【００６９】
［プレイリスト作成操作画面］
図１５〜図２０を用いて、プレイリスト作成操作画面を説明する。図１５〜図２０は、プレイリスト作成操作画面を説明するための図である。図１５に示すように、ディスプレイ装置２０は、操作画面の左上隅に、現に操作画面にて操作中の操作が、「ＨＤＤ」という階層の下位の階層の「編集」のさらに下位の階層に属する「マイベスト作成」操作画面であることを表示する。
【００７０】
ディスプレイ表示制御部３１は、コマンダー部２３において操作「上」、「下」もしくは「回転」が受け付けられると、該操作に応じて、プレイリスト作成操作画面上の「名称入力」もしくは「トラック追加」を切り替える。そして、ディスプレイ表示制御部３１は、コマンダー部２３において操作「押下」が受け付けられると、図１５に示すように、プレイリスト作成名称入力画面を表示する。
【００７１】
ここで、例えば、「あ行」がフォーカスされた際に、ディスプレイ表示制御部３１は、現に操作画面にて操作中「あ行」と同一の階層に属する操作内容群を表示するとともに、該フォーカスされた操作内容の上位の階層に属する操作内容「文字入力」と、該フォーカスされた操作内容の下位の階層に属する操作内容群「あ、い、う・・」とを表示する。同様に、例えば、「あ」がフォーカスされた状態でコマンダー部２３において操作「押下」が受け付けられると、ディスプレイ表示制御部３１は、現に操作画面にて操作中の「あ」と同一の階層に属する操作内容群を表示するとともに、該フォーカスされた操作内容の上位の階層に属する操作内容「あ行」と、該フォーカスされた操作内容の下位の階層に属する操作内容群「完了、修正、あ・・・」とを表示する。
【００７２】
なお、図１６〜図１８に示すように、カナ入力、英字入力、数字入力、記号入力についても同様である。また、ディスプレイ表示制御部３１は、図１５のプレイリスト名称入力画面において、コマンダー部２３において操作「上」、「下」もしくは「回転」が受け付けられ、「文字切替」がフォーカスされた状態でコマンダー部２３において操作「押下」が受け付けられると、図１９および図２０に示すように、文字を切り替えるための操作画面を表示する。
【００７３】
［操作者識別］
また、ディスプレイ装置は、例えば、コマンダー部の利用者が運転席の操作者であるのか助手席の操作者であるのかを識別する操作者識別部をさらに備えていてもよい。この場合には、ディスプレイ表示制御部３１は、操作者識別部によって識別された操作者に許可された操作を判定し、判定した該操作に対応するコマンダー操作ガイドを表示する。
【００７４】
操作者識別部は、例えば、図２１および図２２に示すように、コマンダー部が操作者によって接触された箇所によって、コマンダー部の利用者が運転席の操作者であるのか助手席の操作者であるのかを識別する。図２１および図２２は、操作者識別部を説明するための図である。すなわち、操作者識別部は、コマンダー部に備えられたタッチセンサーについて、どの位置にタッチがあったかを判定し、図２１に示すようなポイントがタッチされているか否かを判別することによって、運転席の操作者であるのか助手席の操作者であるのかを識別する。また、この場合には、ディスプレイ表示制御部３１は、図４に示したような対応表を操作者ごとに予め設定しておき、判定した操作者に対応するコマンダー操作ガイドを表示するように制御する。すると、例えば、車両の走行中に運転者によって操作されている場合には、操作を受け付けないが、助手席の乗員によって操作されている場合には、操作を受け付けるといった個別の制御が可能になる。
【００７５】
なお、操作者識別部による識別は、上記した手法に限られず、例えば、図２２のような手法やシート通電等の手法によって実現することも可能である。図２２の手法について説明すると、例えば、コマンダー部の左右に赤外線センサを配置し、コマンダへの手の入り方によって操作者を識別する手法である。例えば、操作者識別部は、左側に配置された赤外線センサが遮られた後にコマンダー部が操作されれば、助手席の操作者であると識別し、右側に配置された赤外線センサが遮られた後にコマンダー部が操作されれば、運転席の操作者であると識別する。
【００７６】
［システム構成等］
上記明細書中や図面中で示した処理手順（図１１など）、具体的名称（図２など）、各種のデータやパラメータを含む情報（図４など）については、特記する場合を除いて任意に変更することができる。また、図２に図示したディスプレイ装置２０の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各構成要素にて行なわれる各処理機能は、その全部または任意の一部が、ＣＰＵ（Central  Processing  Unit）および該ＣＰＵにて解析実行されるプログラムにて実現され、あるいは、ワイヤードロジックによるハードウェアとして実現され得る。
【００７７】
［プログラム］
上記の実施例で説明したディスプレイ表示方法を実行するプログラムは、インターネットなどのネットワークを介して配布することができる。また、該プログラムは、ＣＤ（Compact  Disk）、ＤＶＤ、メモリーカードなど、コンピュータで読み取り可能な記録媒体に記録され、ディスク再生部１１やメモリーカード再生部１２によって記録媒体から読み出されることによって実行することもできる。
【産業上の利用可能性】
【００７８】
以上のように、本発明に係るディスプレイ装置は、操作画面を表示することに有用であり、特に、操作画面を平易に操作することに適する。
【図面の簡単な説明】
【００７９】
【図１】実施例１に係るディスプレイ装置の概要を説明するための図である。
【図２】実施例１における車載システムの構成を示すブロック図である。
【図３】車載されたディスプレイ装置を説明するための図である。
【図４】コマンダー操作ガイドの表示制御を説明するための図である。
【図５】表示制御を説明するための図である。
【図６】表示制御を説明するための図である。
【図７】表示制御を説明するための図である。
【図８】コマンダー部の構造を説明するための図である。
【図９】コマンダー部の構造を説明するための図である。
【図１０】コマンダー部の構造を説明するための図である。
【図１１】実施例１に係るディスプレイ装置による処理手順を示すフローチャートである。
【図１２】オド・トリップ操作画面を説明するための図である。
【図１３】エアコン操作画面を説明するための図である。
【図１４】表示設定操作画面を説明するための図である。
【図１５】プレイリスト作成操作画面を説明するための図である。
【図１６】プレイリスト作成操作画面を説明するための図である。
【図１７】プレイリスト作成操作画面を説明するための図である。
【図１８】プレイリスト作成操作画面を説明するための図である。
【図１９】プレイリスト作成操作画面を説明するための図である。
【図２０】プレイリスト作成操作画面を説明するための図である。
【図２１】操作者識別部を説明するための図である。
【図２２】操作者識別部を説明するための図である。
【符号の説明】
【００８０】
１０  車載システム
１１  ディスク再生部
１２  メモリーカード再生部
１３  テレビ受信部
１４  ラジオ受信部
１５  ＧＰＳ情報受信部
１６  無線機器通信部
１７  バッテリ／ＡＣＣ部
２０  ディスプレイ装置
２１  ディスプレイ
２２  スピーカ
２３  コマンダー部
３０  制御部
３１  ディスプレイ表示制御部
３２  通知音制御部
【図１】
2010129070.tif 000003
【図２】
2010129070.tif 000004
【図３】
2010129070.tif 000005
【図４】
2010129070.tif 000006
【図５】
2010129070.tif 000007
【図６】
2010129070.tif 000008
【図７】
2010129070.tif 000009
【図８】
2010129070.tif 000010
【図９】
2010129070.tif 000011
【図１０】
2010129070.tif 000012
【図１１】
2010129070.tif 000013
【図１２】
2010129070.tif 000014
【図１３】
2010129070.tif 000015
【図１４】
2010129070.tif 000016
【図１５】
2010129070.tif 000017
【図１６】
2010129070.tif 000018
【図１７】
2010129070.tif 000019
【図１８】
2010129070.tif 000020
【図１９】
2010129070.tif 000021
【図２０】
2010129070.tif 000022
【図２１】
2010129070.tif 000023
【図２２】
2010129070.tif 000024